(57)【特許請求の範囲】
【請求項１】
１つ又はそれ以上のチャンバを含み、各チャンバは、１つ又はそれ以上の他のチャンバと流体連通しており、各チャンバは、複数のダイヤモンドシードが上に配置される基材ステージを支持する１つ又はそれ以上の基材ステージ組立体を前記チャンバ内に含むことを特徴とする、ダイヤモンドを成長させるための装置。
【請求項２】
前記チャンバを、各チャンバ間にガスフロー管で直列に配置することができることを特徴とする、請求項１に記載の装置。
【請求項３】
前記チャンバを、前記チャンバ間でガスが流れることができるように各チャンバが隣接チャンバと接続されたネットワーク状に配置することができることを特徴とする、請求項１に記載の装置。
【請求項４】
前記チャンバは、前記チャンバ内にマイクロ波エネルギーを供給するためのマイクロ波機構をさらに含むことを特徴とする、請求項１から請求項３のいずれか１項に記載の装置。
【請求項５】
前記マイクロ波機構は、２．４５ＧＨｚのマイクロ波を発生させ、前記マイクロ波のエネルギーを前記チャンバ内の前記基材ステージの領域に振り向けて、偏球プラズマ領域を形成することを特徴とする、請求項４に記載の装置。
【請求項６】
前記チャンバは、前記基材ステージ組立体を内部に収容するようになっている筐体を有することを特徴とする、請求項１〜請求項５のいずれかに記載の装置。
【請求項７】
基材ステージ組立体は、プレートと、基材ステージと、周縁反射体とを含み、前記基材ステージ及び前記周縁反射体は、前記プレート上に支持されることを特徴とする、請求項１〜請求項６のいずれかに記載の装置。
【請求項８】
前記プレートは、高い熱伝導率を有する金属で作られることを特徴とする、請求項７に記載の装置。
【請求項９】
前記基材ステージは、
実質的に円形の平面状の基部と、
前記基部に対する周縁隆起縁部と、を含み、
前記周縁隆起縁部は、それにより中央凹部基材受入れ面を定め、前記中央凹部基材受入れ面は実質的に平面であり、前記基部に対する前記周縁隆起縁部は、内縁部及び外縁部を含み、前記内縁部は、斜面を含む、
ことを特徴とする、請求項７または請求項８に記載の装置。
【請求項１０】
前記周縁隆起縁部は、環状溝を含むことを特徴とする、請求項９に記載の装置。
【請求項１１】
前記周縁隆起縁部は、上面及び下面を含み、前記周縁隆起縁部は、少なくとも前記上面及び前記下面の一方に環状溝を含むことを特徴とする、請求項９または請求項１０に記載の装置。
【請求項１２】
前記周縁反射体は、前記基材ステージを中心とする円筒形本体を含み、前記周縁反射体は、前記基材ステージの前記周縁隆起縁部から横方向に離間していることを特徴とする、請求項９〜請求項１１のいずれかに記載の装置。
【請求項１３】
前記斜面は、上方鋭縁部及び下方鋭縁部を定め、前記上方鋭縁部及び前記下方鋭縁部は共同で、使用時のプラズマ領域を定めることを支援することを特徴とする、請求項９〜請求項１２のいずれかに記載の装置。
【請求項１４】
前記基材ステージは、モリブデンで作られることを特徴とする、請求項７〜請求項１３のいずれかに記載の装置。
【請求項１５】
前記基材ステージの外周は、前記基材ステージ組立体の主要な大部分から、前記基材ステージの上面及び下面の両方にある環状又はスロット状の溝で隔てられていることを特徴とする、請求項７〜請求項１４のいずれかに記載の装置。
【請求項１６】
請求項１〜請求項１５の装置の第１のチャンバの前に配置され、ガスを供給して前記チャンバ内でダイヤモンドを形成するようになっていることを特徴とする、ガス供給部。
【請求項１７】
請求項１〜請求項１５の装置の最終チャンバの後に配置され、全ての前記チャンバを排気し、一連のチャンバを通して、プロセスガスをガス入口から第１のチャンバの中に引き込むようになっていることを特徴とする、真空ポンプ。
【請求項１８】
請求項１〜請求項１５の装置の各々のチャンバ上に固定され、前記チャンバ内のガス品質比率を測定するようになっていることを特徴とする、測定手段。
【請求項１９】
請求項１〜請求項１５の装置の各々のチャンバ上に固定され、前記チャンバ内の圧力を測定するようになっていることを特徴とする、圧力測定手段。
【発明の詳細な説明】
【技術分野】
【０００１】
本発明は、マイクロ波プラズマ化学気相成長を作動させることができる装置内で単結晶ダイヤモンド、並びに、黒鉛及び非黒鉛内包物を含まないダイヤモンドを成長させることに関する。
【背景技術】
【０００２】
人工単結晶ダイヤモンドは、例えば、宝飾品、ヒートシンク、電子機器、レーザウィンドウ、光学ウインドウ、粒子検出器及び量子コンピューティング装置などにおける様々な科学的、工業的及び商業的用途にとっての可能性を有している。単結晶ダイヤモンドに対する商業的需要が年々増大しているので、単結晶ダイヤモンドの品質を損なうことなく高品質の光学及び科学グレードの単結晶ダイヤモンドの生産を増やすことが必須である。事実として、特に半導体デバイス及び粒子検出器用の科学製品における用途向けの単結晶に対する品質要件は非常に厳格である。欠陥、内包物、微視的粒界、その他の配向が単結晶ダイヤモンドにおける幾つかの顕著な欠陥であり、詳細に深く特徴付けされる必要がある。
【０００３】
今までの従来技術では、１つのチャンバを用いて、その中にメタン、水素などの適切な気体、並びに、窒素、酸素及びジボランなどのその他のガスを供給して単結晶ダイヤモンドを成長させ、排気は大気中に排出していた。ガスは、周波数２．４５ＧＨｚの強いマイクロ波電場を用いて種々のイオン形態及びラジカルに分解される。ガス系統、チャンバ及びその他の汚染源から不純物がダイヤモンド構造の中に取り込まれることが多い。しかし留意すべき重要な点は、ガスがイオン形態になる分解効率がかなり低いこと、及び、排気が更なるダイヤモンド成長のための構成気体をまだ含んでいる可能性があることがおそらくは認識されていないことである。そのうえさらに、気体組成物は、プラズマ相を通過した後には大部分の不純物がプラズマによって除去されるので、精製されている。本発明は、このことを理解した上で、この基礎となる事実を利用しようとする試みに向けられたものである。
【０００４】
ダイヤモンドの多結晶粒子を成長させるプロセスは、特許文献１において開示された。そのときから、多結晶及び単結晶ダイヤモンドを生成するための、メタン及び水素を前駆体ガスとして用いる種々の化学気相成長（ＣＶＤ）技術が考案されてきた。メタンの役割は気相中に炭素を確実に供給することであり、他方、水素は、ダイヤモンド相の安定化に重要な役割を果たす。
【０００５】
多結晶ダイヤモンドは、単結晶ダイヤモンドと同様の性質を有しているとはいえ、中に含まれる粒界及び欠陥の存在のため、新規な工業的用途にとっては推奨される材料ではない。それに加えて、多結晶ダイヤモンドの熱伝導率は、単結晶ダイヤモンドの熱伝導率に劣る。さらに、粒界は散乱中心として作用するので、多結晶ダイヤモンド内の粒界は、質の悪化をもたらす役割を果たし、天然ダイヤモンドに特有の優れた性質の発現を阻害する。多結晶ダイヤモンド内の粒界の存在は、工業用途における主要な欠点である。
【０００６】
従って、工業用途では単結晶ダイヤモンドを使用することが好まれるのは明らかである。しかし、天然ダイヤモンドと同じ質感、透明度、純度及び仕上がり（ｆｉｎｉｓｈ）の単結晶ダイヤモンドを成長させることは難しい。単結晶ダイヤモンドは多結晶ダイヤモンドと比べて優れた性質を有してはいるが、ＣＶＤ成長単結晶ダイヤモンドには、微視的及び巨視的な黒鉛及び非黒鉛内包物、フェザー（長い線状の欠陥）がよくあることである。
【０００７】
ＣＶＤ成長単結晶ダイヤモンドの詳細な特徴付けは、サブミクロンから数ミクロンまでの範囲の大きさの黒鉛領域で構成される欠陥を明らかにする、ラマン分光法及びＸ線回折（ＸＲＤ）によって行うことができる。
【０００８】
単結晶化学気相成長ダイヤモンド（ＣＶＤダイヤモンド）内の黒鉛及び非黒鉛内包物の存在は、蒸着チャンバ内の未反応メタンの存在によるものであり得る。ほぼ全ての技術が、ダイヤモンドのＣＶＤにメタンと水素ガスとの混合物を使用する。メタンガスが周波数２．４５ＧＨｚのマイクロ波の電場によって電気的に分解されて、励起メチル基化学種（ＣＨ3+イオン）の形成に至る。メタン及び水素ガスの放電が、ＣＨ3+イオン、原子水素、Ｈ2+イオン及び有意濃度の電子から成る熱プラズマを形成する。従来技術のプラズマ領域は実質的に楕円体であり、これが基材ステージ組立体を完全に包み込む。
【０００９】
従来技術の基材ステージは、一般に平坦な円盤形のモリブデンで作られており、これは、場合に応じて１ｍｍ×１ｍｍから１０ｍｍ×１０ｍｍまでの様々なサイズの、１ｍｍから３ｍｍの厚さを有するダイヤモンドシード（基材）を載せるための台座として用いられる。台座は、タングステン又は他の任意の適切な金属で作ることもできる。メチルイオンは温度９００℃で基材に到達するので、その移動度は高く、高濃度の水素の存在下でｓｐ３結合ダイヤモンド網状構造の形成を開始する。プラズマの境界（外周）は、中性の分子状メタンガスを含む場合があり、これが熱分解することがある。メタンの熱分解は８００℃で生じ、熱分解の結果、黒色の炭素の煤が形成され、これがダイヤモンド蒸着物の中に黒鉛及び非黒鉛不純物を誘発することがある。
【先行技術文献】
【特許文献】
【００１０】
【特許文献１】米国特許第３，０３０，１８７号明細書
【発明の概要】
【発明が解決しようとする課題】
【００１１】
本発明の目的は、マイクロ波電場の均一性をもたらし、プラズマ領域内のＣＨ3+イオンの濃度を高め、プラズマ領域内の未反応メタンの比率を減らす、基材ステージを提供することである。この基材ステージはまた、ステージの外周の温度が台座の残りの部分よりもかなり低くなるように熱流を流動させることも保証する。
【課題を解決するための手段】
【００１２】
本発明の一態様により、ダイヤモンドを成長させるための装置が提供され、この装置は、１つ又はそれ以上のチャンバを含み、各チャンバは、１つ又はそれ以上の他のチャンバと流体連通しており、各チャンバは、複数のダイヤモンドシードが上に配置される基材ステージを支持する１つ又はそれ以上の基材ステージ組立体をチャンバ内に含む。
【００１３】
本明細書は以下、本発明を全般的に説明するが、理解を助けるために、本発明の好ましい実施形態を示す添付の図面を参照する。
【図面の簡単な説明】
【００１４】
【図１】本発明の第１の実施形態による、宝石グレードのダイヤモンドを成長させるための装置の略図を示す。
【図２】本発明の第１の実施形態による図１に示す装置の１つのチャンバの略図を示す。
【図３】本発明の第１の実施形態によるチャンバ内で用いられる基材ステージを示す。
【図４】本発明の第１の実施形態による図３の基材ステージの断面図を示す。
【図５】本発明の第２の実施形態による、宝石グレードのダイヤモンドを成長させるための装置の略図を示す。
【図６】本発明の第３の実施形態による、宝石グレードのダイヤモンドを成長させるための装置の略図を示す。
【発明を実施するための形態】
【００１５】
図１は、本発明の第１の実施形態による宝石グレードのダイヤモンドを成長させるための装置の略図を示し、図２は、本発明の第１の実施形態による図１の装置の一部をより詳細に示す。
【００１６】
本発明の一態様によれば、装置は、１つ又はそれ以上のチャンバを含み、各チャンバは１つ又はそれ以上の他のチャンバと流体連通している。図１に示す本発明の第１の実施形態において、装置５０は、各チャンバ間にガスフロー管５６を伴って直列に配置された一連のチャンバ５２を含む。ガス供給部が、ガス入口５４を通して第１のチャンバ５２ａの中にガスを供給する。最終チャンバ５２ｇの後に配置された真空ポンプ５８が全てのチャンバを排気し、後述のように、一連のチャンバを通して、プロセスガスをガス入口５４から第１のチャンバ５２ａの中へ引き込む。
【００１７】
本発明の一態様によれば、各チャンバ５２は、１つ又はそれ以上の基材ステージ組立体３２と、マイクロ波機構３７とを有する。
【００１８】
図１に示す本発明の第１の実施形態によれば、使用中、供給されたガスは、第１のチャンバから出たガスが第２のチャンバに入り、順々に用いられる。全てのチャンバ内の真空が同じ真空ポンプ５８によって作り出される。使用済みガスは、ガス出口６２で排気される。各チャンバは、チャンバ内の圧力を測定するように適合された専用の独立した圧力測定手段６０を有する。ガスの純度は、各チャンバを通るにつれて有意に高まるので、ダイヤモンドの品質が有意に向上し、欠陥を有さないダイヤモンド単結晶の作製に至る。本発明により、多数のチャンバをこの方式で接続することが可能である。測定手段（図示せず）をチャンバ上に固定して、チャンバ内のガス品質比率を測定するようにすることができる。ひとたび最終チャンバ内のガス品質比率が特定のレベルに達すると、チャンバ数が最大数に達したことになるということを提示する。従って、最大チャンバ数を決定することができれば過剰のチャンバ数を避けることができる。
【００１９】
ガス組成物は、各チャンバ内でダイヤモンドが同様の成長速度で成長するように、かつ費用を浪費しないように配合することができ、大量のダイヤモンドをより高い収率で成長させることができる。
【００２０】
チャンバに供給されるガスを上記の方法で再使用することにより、高品質ダイヤモンド製造の費用の削減及び排気ガス放出量の削減が可能になることを提示する。チャンバ数が測定手段により決定される最大数を超えない限り、ガスを再使用することができる。ガスは、１つのチャンバから１つ又はそれ以上の先行チャンバに流路を繋ぐことで再使用することができる。
【００２１】
図２は、本発明の第１の実施形態による、内包物を有さない宝石グレードのダイヤモンドの製造のための１つのチャンバを示す。
【００２２】
本発明の第１の実施形態において、チャンバ５２は、１つの基材ステージ組立体３２を中に収容するように適合された筐体３０を有する。他の実施形態において、チャンバは、２つ又はそれ以上の基材ステージ組立体を含むことができる。基材ステージ組立体３２は、より詳細に後述する基材ステージ１０と、周縁反射体３４とを含む。周縁反射体３４は、基材ステージ１０を囲む円筒形本体を含み、基材ステージ１０の周縁隆起縁部１３から横方向に離間している。熱遮蔽として機能することができる周縁反射体３４を基材ステージ１０の外側で用いるので、基材ステージ１０は、チャンバに対する適度な出力で要求温度に達することができる。基材ステージ１０及び周縁反射体３４は、水、液体窒素等の流体冷媒で冷却される金属プレート３５上に支持される。金属プレート３５は、銅、モリブデン等、熱伝導率が高い金属で作られる。
【００２３】
周縁反射体３４は、主として熱を封じ込めるために用いられ、マイクロ波電場を封じ込めるという副次的な役割を有する。その構造は、モリブデン製の非常に薄い円形環状リングであり、熱封じ込めのための光沢のある内面を有する。これを基材ステージ１０から約２．５ｍｍ離して保持する。熱封じ込めが有効なので、より低いマイクロ波出力で基材温度に達することができ、機械の出力プロファイルを改善することができる。
【００２４】
チャンバ５２にマイクロ波出力を供給するためのマイクロ波機構３７は、２．４５．ＧＨｚのマイクロ波を発生させ、このマイクロ波エネルギーをチャンバ５２の中の基材ステージ１０に振り向けて、偏球プラズマ領域１４を形成する。後述のガスをチャンバ５２内に添加して、ダイヤモンドが形成される。ガスは、ガス供給部又は一連のチャンバ内の前のチャンバからポート５６ａを介して供給され、チャンバからポート５６ｂを介して次のチャンバへ引き出される。
【００２５】
本発明による一連のチャンバ内で使用される基材ステージの第１の実施形態を図３及び図４に示す。
【００２６】
基材ステージの異なるセクタの温度を制御するための新規な基材ステージ１０及び基材ステージ組立体３２は、メタンガスの熱分解が基材近傍に制御され、電場が基材の位置の全領域内で均一になるように設計される。
【００２７】
基材ステージ１０の周縁部は、基材ステージ１０の大部分よりも温度がかなり低く、従って炭素煤の形成が著しく削減されるということを提示する。
【００２８】
基材ステージ１０は、実質的に円形の平面状の基部１２と、基部１２に対する周縁隆起縁部１３とを有する。周縁隆起縁部１３は、中央凹部基材受入れ面１５を定める。中央凹部基材受入れ面１５は、実質的に平面である。周縁隆起縁部１３は、外縁部１３ａ及び内縁部１３ｂを含み、内縁部１３ｂは、中央凹部基材受入れ面１５に向かって下方に延びる斜面２４を含む。
【００２９】
使用時には、より詳細に後述するように、１ｍｍ×１ｍｍと１０ｍｍ×１０ｍｍとの間の様々な大きさとすることができる１ｍｍから３ｍｍの範囲の厚さを有するダイヤモンドシード１９が、中央凹部基材受入れ面１５の上にアレイ状又はマトリックス状に配置される。
【００３０】
基部に対する周縁隆起縁部１３は、上面１３ｃ及び下面１３ｄを含む。本発明の第１の実施形態において、周縁隆起縁部１３は、上面１３ｃ及び下面１３ｄの少なくとも一方に、それぞれ環状溝１８ａ、１８ｂを含む。本発明の別の実施形態において、上面１３ｃ及び下面１３ｄの両方にそれぞれ環状溝１８ａ及び１８ｂが存在する。
【００３１】
多数のダイヤモンドシードが中央凹部基材受入れ面１５上の凹領域２１内に装填される。１ｍｍ×１ｍｍから１０ｍｍ×１０ｍｍの範囲の均一なサイズの、１ｍｍから３ｍｍの範囲の厚さを有するダイヤモンドシードが、マトリックス状のレイアウトで配置される。水素の存在下でマイクロ波出力がチャンバに結合されると、プラズマ領域１４（図２参照）が形成され、ホルダ領域全体が温度９００℃乃至１２００℃に加熱される。凹領域２１の周縁において、斜面２４が、プラズマ領域１４の形状の管理を支援する。詳細には、斜面２４は、図３に示すように、上方鋭縁部１３ｂと下方鋭縁部１７とを定める。上方鋭縁部と下方鋭縁部とが共同で、プラズマ領域１４の所望の形状及び性質を定めて維持することを支援することを提示する。
【００３２】
本発明の第１の実施形態によれば、基材ステージ１０はモリブデンで作られる。モリブデンは高い熱伝導率を有しており、そのことが基部１２上で一様な温度を維持することを助ける。
【００３３】
基材ステージ１０の外周部１６は、組立体の主要な大部分から、基材ステージ１０の上面及び下面の両方にあることが好ましい環状又はスロット状の溝１８で隔てられている。外周部領域への熱伝導は、狭いフランジ２０のため少なくなっており、結果として、外周部１６の温度は、ステージ組立体１２の大部分よりも低い。周縁部の温度が低くなることで、メタンの熱分解が防止され、それゆえ炭素不純物の形成が防止されることを提示する。
【００３４】
スロット状溝１８及び傾斜縁部２４の存在は、プラズマ領域内のＣＨ3+イオン濃度を高めること及びプラズマ領域内の未反応メタンの比率を小さくすることにより、均一性をもたらす。基材ステージ１０はまた、領域内のマイクロ波放射の電場を強化することにより、プラズマに安定性をもたらす。最後に申し添えるが、基材ステージ１０は、ステージの周縁部の温度が台座の残りの部分よりもかなり低くなるように熱流が流れることを保証する。
【００３５】
本発明の目的は、基材ステージ１０を用いて、ダイヤモンドシードが配置されている領域におけるメタンガスの熱分解を防ぐようにすることにより、内包物を有さないダイヤモンド、好ましくは宝石グレードのダイヤモンドを生成することである。
【００３６】
本発明の第１の実施形態において、メタン、水素、窒素及びジボラン含有ガスが、マイクロ波プラズマ化学気相成長プロセスのための前駆体として用いられる。チャンバ内のガスの主要濃度は、メタン及び水素である。好ましくは、水素ガスの流量は８００ｓｃｃｍ（標準立方センチメートル毎分）、メタンガスの流量は５５ｓｃｃｍである。これらのガスのプラズマは、基材ステージ１０の上方の領域１４内で生成される。電場は鋭い縁部において強くなるので、プラズマは、説明した構造の基材ステージ１０において、より安定かつ均一になる。
【００３７】
図５は、複数のチャンバがガスフロー管によって相互接続されてネットワークを形成する、本発明の第２の実施形態による宝石グレードのダイヤモンドの製造のための装置の略図を示す。ダイヤモンド製造装置５５０の構成要素のうちの幾つかは、ダイヤモンド製造装置５０の構成要素と実質的に同じであるので、図１に関して上で説明したことで、同様に番号付けされた図５の構成要素を説明するには十分であろう。例えば、ガス入口５４、ガスフロー管５６、マイクロ波機構３７、基材ステージ組立体３２、圧力測定手段６０、及び真空ポンプ５８は、図１に記載したものと実質的に同じものである。
【００３８】
図５に示すように、チャンバ５２ａ１、５２ａ２、５２ａ３及び真空ポンプ５８は、それらの間にガスフロー管５６を伴って直列に配置され、チャンバネットワーク内の第１の分岐を形成するようになっている。チャンバ５２ｂ１、５２ｂ２、５２ｂ３及びチャンバ５２ｃ１、５２ｃ２、５２ｃ３も同様に配置され、それぞれ第２の分岐及び第３の分岐を形成する。第１の分岐、第２の分岐及び第３の分岐は、互いに平行に延びている。更に、ガスは、主ガス系統５００から各々のガス入口５４を通って各分岐に供給される。主ガス系統５００、第１の分岐、第２の分岐及び第３の分岐が一緒になって、その中をガスが流れるチャンバネットワークを形成する。
【００３９】
図６は、複数のチャンバがガスフロー管によって相互接続されて別のネットワークを形成する、本発明の第３の実施形態による宝石グレードのダイヤモンドの製造のための装置の略図を示す。ダイヤモンド製造装置６５０の構成要素のうちの幾つかは、ダイヤモンド製造装置５０及び５５０の構成要素と実質的に同じであるので、図１及び図５に関して上で説明したことで、同様に番号付けされた図６の構成要素を説明するには十分であろう。例えば、ガス入口５４、ガスフロー管５６、マイクロ波機構３７、基材ステージ組立体３２、圧力測定手段６０、及び真空ポンプ５８は、図１に記載したものと実質的に同じものである。この別の実施形態において、主ガス系統５００は、図５において説明したものと実質的に同じである。
【００４０】
図６に示すように、チャンバ５２ａ１、５２ａ２、及び真空ポンプ５８ａは直列に配置されてガスフロー管５６によって接続され、ガスがチャンバ間を流れることができるようになっている。従って、チャンバ５２ａ１、５２ａ２、及び真空ポンプ５８ａは、チャンバネットワーク内の第１の分岐を形成する。真空ポンプ５８ｂは、チャンバ５２ｂ１と直列に結合しているので、これら両方が一緒にチャンバネットワーク内の第２の分岐を形成するようになっている。第１の分岐内のガスフロー管５６ｓは、第２の分岐内のチャンバ５２ｂ１のガス入口５４ｓに結合し、ガスが分岐間を流れることができるようになっている。主ガス系統５００、第１の分岐及び第２の分岐が一緒になって、それらの間をガスが流れるチャンバネットワークを形成する。チャンバネットワークは任意の数の分岐を含むことができ、分岐は任意の数のチャンバを含むことができ、ネットワーク内の分岐の数及び分岐内のチャンバの数は、真空ポンプ系及びガス供給系の能力に依存することを理解されたい。
【００４１】
さらに、比較的少量の窒素しか必要としないとはいえ、ＣＶＤプロセスで蒸着されるダイヤモンドの成長速度を高めるためには、ＣＶＤプロセス中に供給されるガス内にはジボランガスと組み合わされた少なくとも幾らかの窒素ガスが存在しなければならないことを提示する。さらに、非常に少量の窒素をジボランと組み合わせて用いることにより、ダイヤモンド結晶の色及び透明度を著しく向上させることができる。窒素原子を含有するダイヤモンド構造内のホウ素の存在が、黄褐色のダイヤモンドを無色に変えて、宝石グレードのダイヤモンドにすることを提示する。
【００４２】
マイクロ波プラズマを利用したＣＶＤプロセスを伴う、本発明の第１の実施形態による基材ステージを用いて単結晶ダイヤモンドを成長させる方法は、以下の通りである。
【００４３】
ダイヤモンドを、１ｍｍ×１ｍｍと１０ｍｍ×１０ｍｍとの間の様々な大きさとすることができる１ｍｍから３ｍｍの範囲の厚さを有するダイヤモンドシード１９の上で成長させる。この方法は、マイクロ波プラズマチャンバ内で行われる。
【００４４】
ダイヤモンドシード１９の結晶方位を決定し、｛１００｝以外の方位を有するダイヤモンドシード１９は排除する。方位｛１００｝を有するダイヤモンドシード１９を、ＣＶＤプロセスのための準備として、可視光波長のオーダーの粗度の光学仕上げ（ｏｐｔｉｃａｌ  ｆｉｎｉｓｈ）まで研磨する。
【００４５】
ひとたびダイヤモンドシード１９がチャンバ５２の内部に配置されると、チャンバ５２内部の温度を周囲温から７５０℃乃至１２００℃の範囲の温度まで昇温し、チャンバ内部の圧力を１２０ｍｂａｒ乃至１６０ｍｂａｒの範囲の圧力まで減圧する。
【００４６】
ダイヤモンドの成長に適したガスをチャンバに供給し、このガスは、メタン（ＣＨ4）、水素（Ｈ2）、ジボラン（Ｂ2Ｈ6）と組み合わせた窒素（Ｎ2）、及びヘリウム（Ｈｅ）を含み、これらガスを３０  ｌ／ｈｒのガス流量で各チャンバに通す。
【００４７】
ジボランガスと組み合わされた窒素ガスは、ダイヤモンドの成長用に平衡をとったガスの０．０００１乃至０．１ｖｏｌ％を構成する量で供給される。窒素及びジボランの最適混合物に関して、ダイヤモンドの成長速度は、約１８〜２０ミクロン毎時である。
【００４８】
シードを取り囲むように電場を印加して、チャンバ５２内のガスからプラズマが生成されるようにする。電場は、６０００ワット及び２．４５ＧＨｚで作動するマグネトロンによって発生させる。発生した電場は、水素ガスを電離させ、それによりダイヤモンドシード１９の近傍でプラズマを形成させる。これらのプロセス条件下で、ダイヤモンドシード１９上でダイヤモンドの成長が生じる。
【００４９】
ダイヤモンドの成長パターンは段階的であるので、それにより、実質的に欠陥及び不純物を含まないダイヤモンドを成長させることが可能になる。
【００５０】
上記の本発明の好ましい実施形態に対して、本発明の意図及び範囲から逸脱することなく、多くの修正、変更及び変形を行うことができることが、当業者には明らかである。従って、添付の特許請求の範囲内に入る、かかる修正、変更及び変形の全てを包含することが意図される。
【図１】
0006046237.tif 000002
【図２】
0006046237.tif 000003
【図３】
0006046237.tif 000004
【図４】
0006046237.tif 000005
【図５】
0006046237.tif 000006
【図６】
0006046237.tif 000007